(57)【要約】【課題】椅子における作動機構を操作するためのワイヤケーブルの取りまわしの作業性を向上させる。【解決手段】座または背もたれを作動させるための作動機構と、背もたれの下部または座に設けられて少なくとも取付け基部と後辺部４０ｂと上辺部４０ａと有する肘フレーム４０と、肘に設けられて作動機構を操作するための操作レバー５０とが備えられ、肘フレーム４０の上辺部４０ａに対して着脱可能な肘当て用の上カバー体４１とを備え、操作レバーから作動機構に操作力を伝達するワイヤケーブル７０の中途部は、肘フレームの上辺部と上カバー体との間の第１案内通路と、肘フレームの後辺部とこれに接する背もたれの側辺部との間の第２案内通路に沿って配置されている。【選択図】図１２
2014097151.tif 000002
【特許請求の範囲】
【請求項１】
座と、背もたれと、前記座を支持するベース内に設けられて前記座または背もたれを作動させるための作動機構と、前記背もたれの下部または前記座に設けられて少なくとも取付け基部と後辺部と上辺部と有する肘と、前記肘に設けられて前記作動機構を操作するための操作レバーとが備えられた椅子であって、
前記肘は、肘フレームと少なくとも該肘フレームの上辺部に対して着脱可能な肘当て用の上カバー体とを備え、
前記操作レバーから前記作動機構に操作力を伝達するワイヤケーブルの中途部は、前記肘フレームの上辺部と上カバー体との間の第１案内通路と、前記肘フレームの後辺部とこれに接する前記背もたれの側辺部との間の第２案内通路に沿って配置されている、椅子。
【請求項２】
前記肘フレームの上辺部及び後辺部には、前記第１及び第２案内通路が、前記肘フレームの周面に沿って延び且つ外周面に開放して形成され、
前記肘フレームの上辺部の下面側に、前記操作レバーの指掛け部が露出して配置され、  前記操作レバーにおける前記ワイヤケーブルの一端との連結部が前記第１案内通路に連通している、請求項１に記載の椅子。
【請求項３】
前記操作レバーから前記作動機構に操作力を伝達するワイヤケーブルは、前記両案内通路に嵌まり、且つ前記背もたれの左右両側辺部には、前記肘フレームの後辺部との着脱可能な連結部を有している、請求項１または２に記載の椅子。
【請求項４】
前記連結部は、前記背もたれを構成する腰アウター部材の前面上部と背板の背面下部との重なり部に介挿される帯状の補強部材における端部である、請求項３に記載の椅子。
【発明の詳細な説明】
【技術分野】
【０００１】
本願発明は、背もたれや、座などの可動部を作動させるための作動機構を備えた椅子に係り、より詳しくは、背もたれの後傾動に対するロック及びロック解除などを操作する操作レバーに連結するワイヤ（索導管の内径部にワイヤが挿通されたものをいい、以下、ワイヤケーブルともいう）が配置された椅子に関するものである。
【背景技術】
【０００２】
従来から、椅子の背もたれの後傾動に対するロック及びロック解除や、背もたれの後傾動に抵抗を付与するばね手段の抵抗の大きさ（すなわち、ロッキングに際して身体に作用する背もたれの反力の大きさ）を変える弾力調節手段を調節するため、椅子の肘に操作部を備えた椅子が種々提案されている（特許文献１、２、３）。
【０００３】
特許文献１では、椅子の座を昇降させる油圧シリンダの作動片を作動させる駆動部材と、椅子の座の側方に立設されたループ状肘掛けのうち肘当て部位（肘掛けの前後に伸びる上部部材）の中空部の下部側に配置された操作片とをループ状肘掛けの上部部材の中空部から後側中空部内を経て座盤の中空部に挿通させたワイヤで連結したことが開示されている。
【０００４】
特許文献２では、背もたれのロッキング機構や座の高さ調節機構の作動機構を起動するべく操作するための操作体（指掛けレバー）は、ループ状肘掛け（側面視環状のサークル肘ともいう）の内径部に設けられた側面視逆Ｌ字状の内外カバー体間の下面側に設けられ、操作体（指掛けレバー）に一端を連結したワイヤが上記内外カバー体間の隙間を通り、該ワイヤの他端が作動機構に連結されている。
【０００５】
他方、特許文献３では、椅子の座の側方に、中空パイプからなる側面視ロ型（環状）の肘掛けが立設されており、肘掛けの上辺部の下面側に操作レバーが設けられ、椅子におけるガスシリンダを操作するために、この操作レバーに一端を連結したワイヤケーブルの中途部が肘掛けの中空パイプ内に挿通されていることが開示されている。
【先行技術文献】
【特許文献】
【０００６】
【特許文献１】実開昭６２−０４０９５１号公報
【特許文献２】特開２００７−１０５２９３号公報
【特許文献３】特開昭６３−０３８４１０号公報
【発明の概要】
【発明が解決しようとする課題】
【０００７】
上記特許文献１及び３では、ワイヤケーブルが中空パイプ内を挿通させて配置するので、この中空パイプにおけるワイヤケーブルの入り口から出口までの距離が長く、またパイプの途中が湾曲しているため、ワイヤの挿通作業に手間が掛かるという問題があった。
【０００８】
特許文献２のように、ループ状肘掛け（側面視環状のサークル肘）の内径部に側面視逆Ｌ字状の内外カバー体を別途設ける必要があり、部品点数が多くなると共に、内外カバー体の取付けの手間が掛かるし、ループ状肘掛けの側面視のデザインに制約を受けるという問題もあった。
【０００９】
本願発明はこのような現状に鑑み成されたものであり、ワイヤケーブルの取りまわしの作業性を向上させ、且つデザインの優れている椅子を提供することを目的とするものである。また、本願では多くの改良点を開示しており、これらの改良点を提供することも目的と成り得る。例えば、肘の取付け強度を大きくすることができるようにしたことを含む。
【課題を解決するための手段】
【００１０】
本願発明は各請求項の構成を含んでいる。このうち請求項１の発明は上位概念を成すものであり、座と、背もたれと、前記座を支持するベース内に設けられて前記座または背もたれを作動させるための作動機構と、前記背もたれの下部または前記座に設けられて少なくとも取付け基部と後辺部と上辺部と有する肘と、前記肘に設けられて前記作動機構を操作するための操作レバーとが備えられた椅子であって、前記肘は、肘フレームと少なくとも該肘フレームの上辺部に対して着脱可能な肘当て用の上カバー体とを備え、前記操作レバーから前記作動機構に操作力を伝達するワイヤケーブルの中途部は、前記肘フレームの上辺部と上カバー体との間の第１案内通路と、前記肘フレームの後辺部とこれに接する前記背もたれの側辺部との間の第２案内通路に沿って配置されているものである。
【００１１】
請求項２の発明は請求項１を具体化したもので、請求項１において、前記肘フレームの上辺部及び後辺部には、前記第１及び第２案内通路が、前記肘フレームの周面に沿って延び且つ外周面に開放して形成され、前記肘フレームの上辺部の下面側に、前記操作レバーの指掛け部が露出して配置され、前記操作レバーにおける前記ワイヤケーブルの一端との連結部が前記第１案内通路に連通しているものである。
【００１２】
請求項３の発明は請求項１または２を具体化したもので、前記操作レバーから前記作動機構に操作力を伝達するワイヤケーブルは、前記両案内通路に嵌まり、且つ前記背もたれの左右両側辺部には、前記肘フレームの後辺部との着脱可能な連結部を有しているものである。
【００１３】
請求項４の発明は請求項３に記載の椅子を好適に具体化したもので、前記連結部は、前記背もたれを構成する腰アウター部材の前面上部と背板の背面下部との重なり部に介挿される帯状の補強部材における端部である。
【発明の効果】
【００１４】
本願発明は、座と、背もたれと、前記座を支持するベース内に設けられて前記座または背もたれを作動させるための作動機構と、前記背もたれの下部または前記座に設けられて少なくとも取付け基部と後辺部と上辺部と有する肘と、前記肘に設けられて前記作動機構を操作するための操作レバーとが備えられた椅子であって、前記肘は、肘フレームと少なくとも該肘フレームの上辺部に対して着脱可能な肘当て用の上カバー体とを備え、前記操作レバーから前記作動機構に操作力を伝達するワイヤケーブルの中途部は、前記肘フレームの上辺部と上カバー体との間の第１案内通路と、前記肘フレームの後辺部とこれに接する前記背もたれの側辺部との間の第２案内通路に沿って配置されている。したがって、肘フレームの周面と各カバー体の内面との間や、第１、第２案内通路の開放面との間に隙間を形成し易くなり、肘フレームの周面の第１、第２案内通路へのワイヤケーブル等の部品や部材の配置作業が容易となる。
【００１５】
請求項２の発明によれば、前記肘フレームの上辺部及び後辺部には、前記第１及び第２案内通路が、前記肘フレームの周面に沿って延び且つ外周面に開放して形成されている。したがって、従来の案内通路が連続した中空パイプの内部のような閉塞したものに比べて開放された第１及び第２案内通路へのワイヤケーブルの配線作業が一層容易となる。
【００１６】
また、前記肘フレームの上辺部の下面側に、前記操作レバーの指掛け部が露出して配置され、前記操作レバーにおける前記ワイヤケーブルの一端との連結部が前記第１案内通路に連通しているから、ワイヤケーブルの一端を操作レバーに連結する作業も容易にできる。
【００１７】
請求項３の発明によれば、前記操作レバーから前記作動機構に操作力を伝達するワイヤケーブルは、前記両案内通路に嵌まり、且つ前記背もたれの左右両側辺部には、前記肘フレームの後辺部との着脱可能な連結部を有しているので、背もたれの左右両側辺部に対する肘の取付け時に、背もたれの左右両側辺部と肘フレームの後辺部との間にワイヤケーブルの中途部を配置できて、外部から見えなくすることが容易となる。
【００１８】
本願の請求項４の発明では、前記連結部は、前記背もたれを構成する腰アウター部材の前面上部と背板の背面下部との重なり部に介挿される帯状の補強部材における端部であるので、背もたれの強度を大きくすることができると共に肘との連結も同時に行える。
【図面の簡単な説明】
【００１９】
【図１】（Ａ）は第１実施形態に係る椅子の正面図、（Ｂ）は右側面図、（Ｃ）は平面図である。
【図２】椅子全体の右側下方からの斜視図である。
【図３】椅子の脚部及びクッション体を除去した右側下方からの斜視図である。
【図４】支持機構部、腰部アウター部材及び背板、補強部材の分解正面側斜視図である。
【図５】支持機構部、ループ状肘、腰部アウター部材及び一部切欠きした背板、分解した上カバー体と前カバー体を示す前面側斜視図である。
【図６】背もたれに左右のループ状の肘を取り付けた状態の前面側斜視図である。
【図７】半割り状態の背もたれが支持機構部に取付けられた状態の一部切欠き側断面図である。
【図８】支持機構部、半割り状の背もたれ、補強部材及び背板、ループ状の肘の斜視図である。
【図９】（Ａ）は操作レバーの側面からの斜視図、（Ｂ）は前方左からの斜視図、（Ｃ）は前方右からの斜視図である。
【図１０】（Ａ）は図８におけるXA−XA線矢視拡大断面図、（Ｂ）は図８における XB −XB線矢視拡大断面図、（Ｃ）は図８における XC −XC線矢視拡大断面図である。
【図１１】（Ａ）は左側の肘フレームの上方からの斜視図、（Ｂ）は前方左からの斜視図、（Ｃ）は下方左からの斜視図である。
【図１２】左右両側の肘を肘フレーム、上カバー体、前カバー体に分解した状態を下方から見た斜視図である。
【発明を実施するための形態】
【００２０】
次に、本願発明の実施形態を図面に基づいて説明する。まず、図１〜図８に示す第１実施形態から説明する。以下の説明では方向を特定するため「前後」「左右」の文言を使用するが、この前後左右の文言は着座した人を基準にしている。正面視方向は着座した人と対峙した方向であり、従って、正面視での左右と着座した人から見た左右とは逆になる。
【００２１】
［椅子の概略］
まず、椅子の概要を、主として図１〜図３に基づいて説明する。本実施形態は事務用等に多用されている回転椅子に適用しており、図１に示すように、椅子は、座１及び背もたれ２と、脚３とを備えている。
【００２２】
脚３は、脚柱としてのガスシリンダ４と、これを支えて放射状に延びる複数本の枝杆５とを備えており、各枝杆５の先端にはキャスタ６を取付けている。従って、本実施形態は座１及び背もたれ２の高さ調節できる回転椅子に適用されている。
【００２３】
ガスシリンダ４の上端には、座受け部材の一例としてのベース７が固定されている。例えば図１、図２  及び図８に示すように、ベース７の上に金属板製の中間金具（座受け金具）８が配置されており、この中間金具８に樹脂製の座アウター部材９が取り付けられている。
【００２４】
座１は、樹脂製の座アウター部材９とその上面に重ね配置した座クッション材１０とを有しており、座クッション材１０はクロス等の表皮材で上から覆われている。
【００２５】
図１及び図２に示すように、背もたれ２は樹脂製の腰部アウター部材１１と、同じく樹脂製の背板１２と、図示しない背クッション体が前面に張り付けられ、その後、後に詳述するように、袋状の表装体１３にてすっぽり覆われている。また、座１の左右両側にはループ状の肘１４が設けられている。
【００２６】
本実施形態では、ロッキング椅子（背もたれが後傾動する椅子）に適用されているが、ロッキングしない椅子に適用しても良いことはいうまでもない。
【００２７】
［支持機構部の概略］
本実施形態では、例えば図４、図６、図８に示すように、ベース７には背支持フレーム１５が後傾動自在に連結されていると共に、背支持フレーム１５に背もたれ２が取り付けられている。背支持フレーム１５は樹脂製又はアルミダイキャスト製であり、図６や図８に示すように、ベース７の後ろにおいて左右方向に広がる基部１５ａと、基部１５ａの左右両側部からベース７の外側位置で前向きに延びるアーム部１５ｂとを有しており、左右アーム部１５ｂの前端部が左右横長の第１軸１６（図３、図７参照）でベース７に連結されている。従って、背もたれ２は第１軸１６の軸心回りに傾動する。
【００２８】
背支持フレーム１５における左右アーム部１５ｂの前部は左右内側に入り込んだクランク部（不図示）になっており、クランク部の基端部に第１軸１６が貫通している。また、左右クランク部の前端は、不図示の弾力調節ユニットのロッキングバネを押圧するための押圧部の一例として左右横長の押動軸（不図示）で一体に繋がっている。
【００２９】
背支持フレーム１５は第１軸１６を中心にして後傾動する。そこで、ベース７の内部に弾力調節ユニット（不図示）を設けて、背支持フレーム１５の後傾動に抵抗を付与している。なお、上記弾力調節ユニット及びロック用ガスシリンダ１８は本願発明の主たる構成ではないので、詳細な説明は省略する。弾力調節ユニットは、ロッキングに対する抵抗の大きさを段階的または無段階に調節するためのものであり、図４、図６に示すロック用ガスシリンダ１８は背もたれ２を任意の後傾角度に保持し、またはロック解除するためのロック装置である。
【００３０】
本実施形態の椅子は、背もたれ２の後傾に連動して座１が後退しつつ後傾するシンクロタイプの椅子であり、中間金具８の前部を弾力調節ユニットの前部に後退動可能に連結し、中間金具８の後部は、背支持フレーム１５に上向き突設したブラケット部２０に左右横長の第２軸（不図示）で連結されている。また、中間金具８の前部は上向き移動不能に保持され、且つベース７に対して前後摺動可能に設けられている。このため、座１の前部を上に持ち上げても中間金具８がベース７から外れることはない。
【００３１】
背もたれ２は腰部アウター部材１１と背板１２と帯状の補強部材２１とを有しており、腰部アウター部材１１は側面視略Ｌ字状に湾曲したシェル体である。腰部アウター部材１１の下端は前向きに突出する連結部１７が一体的に形成され、この連結部１７には前向きに突出する係合部１７ａが左右一対設けられ、この一対の係合部１７ａが背支持フレーム１５の後部下面の凹型被係合部１５ｃに嵌まり、左右及び前後方向の位置決めがなされる。連結部１７のボルト装着部１７ｂと背支持フレーム１５の後部のボルト装着部１５ｄとをボルト（不図示）止めする。但し、図７、図８では、腰部アウター部材１１や背板１２はその左半分のみ示されている。
【００３２】
［腰部アウター部材及び背板とその連結構造］
腰部アウター部材１１の上部前面には、上下方向寸法Ｈ１の帯状の補強部材２１が上下方向にずれないように嵌まる凹所２２（上下方向寸法Ｈ１）を左右両側に伸びるように形成する（図４参照）。また、腰部アウター部材１１の前面には、凹所２２の下端側に複数（実施形態では、左右に２つ）の爪２２ａが突設されており（図４、図５参照）、これにより凹所２２に嵌まった補強部材２１の脱落を防止することができる。
【００３３】
補強部材２１の左右両側端部は一旦後側に屈曲させた屈曲部２１ａを形成したのち、屈曲部２１ａの後端から端部２１ｂを左右両側外側に延出する（図４参照）。腰部アウター部材１１の凹所２２より左右両側外側には、補強部材２１の屈曲部２１ａ及び端部２１ｂが前方から添え配置できるように、屈曲部２３ａ及び端部２３ｂが同様に形成されている（図４、図５参照）。
【００３４】
補強部材２１の左右中央部位には、左右一対の雌ねじ部２４が形成されており、背板１２に形成されているねじ取付け穴２５を介して背板１２の前面側からねじ２６にて補強部材２１を連結固定する（図４参照）。他方、腰部アウター部材１１における両端部２３ｂに形成されているねじ取付け穴２７を介して腰部アウター部材１１の後面側からねじ２８にて補強部材２１を連結固定する（図２、図４、図５参照）。これらにより、前側の背板１２と後側の腰部アウター部材１１との前後重なり部に補強部材２１が間に介挿されて強固に連結固定される。
【００３５】
また、背板１２の下端に形成された前向き突条部２９が腰部アウター部材１１の下部寄り部位の前面に形成された段部３０に載置される。一方、補強部材２１より上方位置の背板１２の背面（後面）側に形成された段部３１には、下向き開口した位置決め穴３２が複数穿設されている（図７参照）。腰部アウター部材１１の上端には、上記各位置決め穴３２に嵌まる上向き突起３３（実施形態では計５箇所）が一体的に形成される（図４、図５等参照）。これらの嵌め合いにより、腰部アウター部材１１と背板１２とが位置ずれすることなくしっかりと連結固定され、さらに、腰部アウター部材１１及び背板１２の両背面が実質的に同一面に揃うように連結することができる（図２、図７等参照）。
【００３６】
ループ状の肘１４（本願発明の肘の一例である）は、アルミダイキャスト製でループ状肘フレーム４０と、上カバー体４１と、前カバー体４２とを備えている。ループ状肘フレーム４０は、上辺部４０ａと後辺部４０ｂと前辺部４０ｃと下辺部としての取付け基部４０ｄが一体となって、ループ状に形成されている。
【００３７】
ループ状肘フレーム４０の下部（取付け基部４０ｄ）には内向きに突出する連結筒部４５が設けられる。背支持フレーム１５のアーム部１５ａの外側面に設けられた三角状穴を有する連結基部４４に継ぎ足す同じく三角状の補足部４６を介して連結筒部４５が嵌合し、補足部４６に連結筒部４５が嵌合した状態で両者をネジ止めすることで、背支持フレーム１５の左右両側に肘１４が立設される（図４、図５、図８参照）。なお、連結基部４４または連結筒部４５に補足軸部４６が一体的に形成されても良いし、筒部と軸部の関係が図示の実施形態と逆であっても良い。
【００３８】
補強部材２１の左右両側の端部２１ｂは、補強部材２１が背板１２に取付けられた状態では、当該背板１２の左右両側の翼部３４の先端部まで伸びるように形成されて翼部３４の背面に沿う。そして、上記立設された肘１４における上カバー体４１を取り外した状態のループ状肘フレーム４０の内側面に補強部材２１の端部２１ｂを当接させる。次いで、翼部３４の先端部などに設けられたネジ取付け穴３６及び補強部材２１の端部２１ｂの貫通穴３７を介してねじを挿通させ、そのねじをループ状肘フレーム４０の雌ねじ部４３に締着することで、ループ状肘フレーム４０と補強部材２１の端部２１ｂと背板１２の翼部３４の先端部との三者を共締めする。
【００３９】
これらの取付けにより、肘１４が背もたれ２に対して下部と後部とに固定されるので、下部だけの連結よりも肘１４は一層強固に連結固定されることになる。
【００４０】
また、図４、図９（Ｂ）に示すように、腰アウター部材１１の左右両側の凹湾曲した端面に上下複数箇所の係合凹所３８が形成され、ループ状肘フレーム４０の後部湾曲縦辺の外面に上下複数箇所の係合突起３９が設けられている。
【００４１】
腰アウター部材１１の左右両側の凹湾曲した端面にループ状肘フレーム４０の後部湾曲縦辺の外面を当接させると、各係合凹所３８と係合突起３９とが互いに嵌まり係合して位置ずれしない。なお、係合突起が腰部アウター部材１１に、係合凹所３８がループ状肘フレーム４０に各々設けられていても良い。
【００４２】
翼部３４と補強部材２１の端部２１ｂ及びネジ止め部は、ループ状肘フレーム４０に装着した上カバー体４１の後部内側面にて隠される（図３、図８参照）。したがって、外観上、背もたれ２とループ状の肘１４との一体感がより一層向上する。
【００４３】
なお、ロッキング椅子でない場合には、ベース７または座受体の外側面に連結基部４４を設ければ良い。
【００４４】
［上カバー体及び前カバー体］
上カバー体４１は、ループ状肘フレーム４０の上面とそれに対応する内側面（着座する人の側面と対面する側）とを覆うように断面Ｌ型に形成されており、前カバー体４２は、ループ状肘フレーム４０の前面とそれに対応する内側面（着座する人の側面と対面する側）を覆うように断面Ｌ型に形成されている。上カバー体４１及び前カバー体４２はそれぞれループ状肘フレーム４０に対して着脱可能に取付けられる（図５、図１０、図１２参照）。
【００４５】
上カバー体４１及び前カバー体４２は共に合成樹脂やアルミダイキャスト製で摩擦係数の小さな材料で製作されることが好ましい。上カバー体４１はループ状肘フレーム４０の上辺部４０ａを少なくとも覆うための上板部４１ａと椅子の内側面側を覆う内側板部４１ｂとを有している。そして、上板部４１ａ及び内側板部４１ｂの内面から内向きに突出する複数箇所の係合爪４１ｃ（図１２参照）がループ状肘フレーム４０に対応する箇所で凹み形成された係合部６５（図１１（Ｂ）、図１１（Ｃ）参照）に係合する。前カバー体４２も同様に上面板部４２ａと内側面板部４１ｂとを有し、図示しない係合爪がループ状肘フレーム４０に対応する箇所で凹み形成された係合部６６（図１１（Ｃ）参照）に係合する。
【００４６】
上述のように、上カバー体４１は、ループ状肘フレーム４０の上面とそれに対応する内側面（着座する人の側面と対面する側）とを覆うように断面Ｌ型に形成されており、前カバー体４２は、ループ状肘フレーム４０の前面とそれに対応する内側面（着座する人の側面と対面する側）を覆うように断面Ｌ型に形成されているため、ループ状肘フレーム４０の周面と各カバー体４１、４２の内面との間や、第１、第２案内通路５３、５４の開放面との間に隙間を形成し易くなり、ループ状肘フレーム４０の周面の第１、第２案内通路５３、５４へのワイヤケーブル７０等の部品や部材の配置作業が容易となる。また、ループ状肘フレーム４０と各カバー体４１、４２との材料、色彩を異ならすことで、肘１４の質感、色彩の組み合わせが多彩にできて、椅子または肘１４のデザインを多様化できる。
【００４７】
また、上カバー体４１や前カバー体４２の外面、特に内側面（着座する人の側面と対面する側）をクッション体で覆った場合には、着座者の脇腹や太股の外面に対する当たりの感触が金属製のものに比べてはるかに柔らかになり、温かみもあるので好ましい。
【００４８】
なお、各カバー体４１、４２の内面またはループ状肘フレーム４０の外周面の一方もしくは両方に、ゴムまたはスポンジなどの弾性材料からなる反撥片６７（実施形態ではループ状または帯状）を貼り付けまたは一体形成しておけば、各カバー体４１、４２とループ状肘フレーム４０と上記係合爪と係合部との係合のガタつきを防止することができる。
【００４９】
［操作レバー及びワイヤケーブル］
座１または背もたれ２を作動させるための作動機構は座１を支持するベース７内に設けられており、操作レバー５０は、背もたれ２の下部または座に設けられて少なくとも上辺部を有する肘１４に設けられて作動機構を操作するためのものである。
【００５０】
請求項にいう作動機構の一例として、例えば、本実施形態で既述した弾力調節ユニット（不図示）や、背もたれ２を任意の後傾角度に保持し、またはロック解除するためのロック装置であるロック用ガスシリンダ１８、もしくは、座１の高さ調節のためのガスシリンダ４がある。
【００５１】
上記作動機構の起動を操作するための操作レバー５０は、本実施形態では、左右両側のループ状の肘１４の上辺部に配置され、操作レバー５０の指掛け部５１は上辺部の下面側に露出している。
【００５２】
操作レバー５０から作動機構に操作力を伝達するためのワイヤケーブル７０は、ワイヤ７１の先端に係止球７３が固着され、ワイヤ７１が挿通する索導管７２を有する。ワイヤケーブル７０の係止球７３が係合できる係合凹所６０が装着溝５９の前寄り部位に形成されている。ワイヤ７１は装着溝５９内から後方に伸び、第１案内通路５３の先端にて索導管７２内に挿通されている（図９（Ｂ）参照）。
【００５３】
［ワイヤケーブルの取りまわし］
ワイヤケーブル７０の中途部は、ループ状肘フレーム４０（請求項でいう肘フレームの一例）の上辺部４０ａと上カバー体４１との間の第１案内通路５３と、ループ状肘フレーム４０の後辺部４０ｂとこれに接する背もたれ２の側辺部５５（図６で示し、後述する線部１３ｃの近傍に対応する）との間の第２案内通路５４に沿って配置されている。この場合、ループ状肘フレーム４０の後辺部４０ｂの外径周面、及び内側面と第２案内通路５４とは、背板１２における翼部３４にて隠されるが（図６、図７、図８参照）、椅子の外側面では、肘フレーム４０がループ状に見て取れる（図１（Ｃ）、図２、図３参照）。
【００５４】
図２、図７、図９（Ａ）〜図９（Ｃ）、図１０（Ａ）に示されるように、操作レバー５０は基部５６の下部に断面Ｌ字状の指掛け部５１が一体的に形成され、指掛け部５１の自由端が椅子の内側に向くように配される。基部５６から前方下向きに伸びる二股状のアーム５７の下端に、それぞれ外向きの断面円形の軸部５８が形成されている。また、基部５６の上面には前後及び上方に開放された装着溝５９が凹み形成されている。なお、図９（Ａ）と図９（Ｃ）に示す操作レバー５０は右側の肘１４用であり、図９（Ｂ）に示す操作レバー５０は左側の肘１４用である。
【００５５】
図１０、図１１に示すように、ループ状肘フレーム４０の上辺部４０ａには上下に貫通する装着穴６１が形成されている。ループ状肘フレームの上辺部４０には、第１案内通路５３が、ループ状肘フレームの周面に沿って前後方に延び且つ外周面に開放して形成され、第１案内通路５３の前端が装着穴６１に連通している。この装着穴６１は請求項にいう「操作レバーにおけるワイヤケーブルの一端との連結部」にも相当する。第２案内通路５４は、ループ状肘フレーム４０の後辺部４０ｂの上下方向に沿って延び、且つ外周面に開放して形成されている。
【００５６】
操作レバー５０は、軸部５８と両アーム５７及び基部５６を、両アーム５７側を前にして上辺部４０ａの下側から装着穴６１に挿入する。その際、両軸部５８の自由端間（外端面間）の寸法が装着穴６１の狭い方の幅寸法より若干小さくなるように、両アーム１５ａを弾性変形させておく。挿入した後の両アーム５７が弾性復帰すると、操作レバー５０の両軸部５８は、ループ状肘フレームの上辺部４０の前側に凹み形成された軸受部６２に抜け不能、且つ回動可能に軸支される（図１０（Ａ）、図１０（Ｂ）、図１０（Ｃ）参照）。索導管７２の先端部の固定金具７４は第１案内通路５３の先端（前端）の係合部５３ａに嵌め固定する。なお、両アーム５７が弾性復帰した後、両アーム５７の内則面間に弾性復帰を規制する規制部材（不図示）を後付けすると、操作レバー５０が装着箇所から脱落するのを防止する上でより好適である。
【００５７】
装着穴６１に挿入した操作レバー５０に対してワイヤケーブル７０の一端の係止球７３を係合した状態で、このワイヤケーブル７０の中途部を両案内通路５３、５４に嵌まって延設する。
【００５８】
ワイヤケーブル７０の中途部は、ループ状肘フレーム４０（請求項でいう肘フレームの一例）の上辺部４０ａと上カバー体４１との間の第１案内通路５３と、ループ状肘フレーム４０の後辺部４０ｂとこれに接する背もたれ２の側辺部５５（図６で示し、後述する線部１３ｃの近傍に対応する）との間の第２案内通路５４に沿って配置されている。この場合、ループ状肘フレーム４０の後辺部４０ｂの外径周面、及び内側面と第２案内通路５４とは、背板１２における翼部３４にて隠されるが（図６、図７、図８参照）、椅子の外側面では、肘フレーム４０がループ状に見て取れる（図１（Ｃ）、図２、図３参照）。
【００５９】
本実施形態では、図１１（Ａ）、図１１（Ｂ）、図１１（Ｃ）に示されているように、第１案内通路５３はループ状肘フレーム４０の円周方向に沿って延び且つ半径方向外側にて外周面に向かって開放されており、第２案内通路５４はループ状肘フレーム４０の円周方向に沿って延び且つ半径方向の小さい側にて椅子の内側の外周面に向かって開放されている。したがって、第１案内通路５３の終端と第２案内通路５４の始端との間には、ループ状肘フレーム４０の半径方向に沿った縦案内通路６３にて連通している。第２案内通路５４の終端はループ状肘フレーム４０の後辺部４０ｂの下端で内側面側に開放された切欠き溝６４に繋がる。
【００６０】
切欠き溝６４から外に出たワイヤケーブル７０は、図６に示すように、連結部１７及び背支持フレーム１５の上面を通って前方に延び、ベース７内の作動機構に連結されている。図示しないが、この際、連結部１７や背支持フレーム１５に別途クリップなどでワイヤケーブル７０を係止させたり、あるいは座アウター部材９の裏面側にワイヤ保持部を設けてワイヤケーブル７０を係止させたりすることで、ワイヤケーブル７０の通り道を規制すると、外観からワイヤケーブルが露呈しにくく、美観上さらに好適である。
【００６１】
上カバー体４１をループ状肘フレーム４０の上辺部４０ａに上側から被せて抜け不能に係止する。上カバー体４１の内面から突出する規制片８０の先端が両軸部５８の上面に近接または当接するので（図１０（Ｃ）参照）、両軸部５８は軸受部６２に嵌まった状態で回動のみ自在となる。
【００６２】
通常（非操作時）では、図７に示すように、指掛け部５１は上辺部４０ａの下面とほぼ平行であり、指掛け部５１の下面に指当てて握ると、軸受部６２箇所で両軸部５８を中心として操作レバー５０が図１０（Ｃ）の矢印Ｅ方向に回動できる。これにより、ワイヤ７１が係合凹所６０に係合しているので、ワイヤ７１は前方に引かれ、作動機構が起動する。
【００６３】
指掛け部５１に掛けた指を開いて脱力すると、操作レバー５０がその自重により図１０（Ｃ）の矢印Ｆ方向に回動して操作前状態に復帰する。その場合、実施形態では、ワイヤ７１の一端の係止球７３が係合する係合凹所６０は、ワイヤの引き方向（図１０（Ｃ）の左方向）にのみ係合し、操作レバー５０が矢印Ｆ方向に回動するときには係合凹所６０が係止球７３から離間してワイヤ７１がフリー状態となる。なお、操作レバー５０と上辺部４０ａにおける操作レバー５０収容部分との間に弾性体（不図示）を設けて、指掛け部５１の握り力を解除したとき、自動的に操作レバー５０が図１０（Ｃ）の矢印Ｆ方向に回動して操作前状態に自動復帰するようにしても良い。
【００６４】
［表装体の装着構成］
上記腰部アウター部材１１と背板１２とが連結された状態で、少なくとも背板１２の前面全体にわたって、ラバーフォーム等のクッション体（不図示）を張設する。しかる後、合成皮革製、天然皮革製、布製等からなる袋状の表装体１３にて、クッション体の前面と腰部アウター部材１１及び背板１２の背面部を一体的に覆う（図２、図３、図６、図７、図８の二点鎖線参照）。その場合、本実施形態では背もたれ２の背面側の左右方向中央に縦方向に長い分離縁を設け、この上下に長い分離縁部にファスナを設けて、袋状の表装体１３の下端から開くことができるようにして、表装体１３の装着及び取り外し作業が容易になるようにしている。
【００６５】
また、表装体１３の背面側の下端部は、例えば図２に示すように、腰部アウター部材１１を覆った後、当該腰部アウター部材１１の左右両側縁に沿う湾曲線部１３ａと、背板１２の翼部３４とループ状の肘１４の後縁及び上面の隙間に嵌まる線部１３ｂを有する。図７及び図８に示すように、例えば表装体１３の前面側の下端部は、背板１２の翼部３４前面基部とループ状肘フレーム４０の後側内面との隙間に嵌まる線部１３ｃと、クッション体の前面下端を包んだ後に、背板１２の下端に形成された前向き突条部２９と腰部アウター部材１１の段部３０との間に形成される溝３５に沿って嵌め入れられる横線状の線部１３ｄとを有する。各線部１３ａ〜１３ｄでは、表装体１３のしわを延ばした状態で、タッカーなどにより打ち込むステープルで固定しても良いし、接着剤等で貼着しても良い。
【００６６】
本発明では、肘１４における肘フレームは、着座した人の肘を載せる肘当て部分となる上辺部と、これに連なる後辺部と、座のベース７または背もたれ２のための背支持フレームに装着するための取付け基部とを有すれば良く、したがって、ループ状の肘の他、肘１４の側面視形状が上下逆Ｌ字状のであっても良い。また、肘１４は、肘フレーム４０と少なくとも該肘フレームの上辺部に対して着脱可能な肘当て用の上カバー体とを備え手入れば良い。
【００６７】
［まとめ］
既述のとおり、本願発明は、肘１４は、肘フレームと少なくとも該肘フレームの上辺部４０ａに対して着脱可能な肘当て用の上カバー体４１とを備え、操作レバー５０から作動機構に操作力を伝達するワイヤケーブル７０の中途部は、肘フレームの上辺部４０ａと上カバー体４１との間の第１案内通路５３と、肘フレームの後辺部４０ｂとこれに接する背もたれ２の側辺部との間の第２案内通路５４に沿って配置されている。したがって、肘フレーム４０の周面と各カバー体４１、４２の内面との間や、第１、第２案内通路５３、５４の開放面との間に隙間を形成し易くなり、肘フレーム４０の周面の第１、第２案内通路５３、５４へのワイヤケーブル７０等の部品や部材の配置作業が容易となる。
【００６８】
請求項２の発明によれば、肘フレームの上辺部及び後辺部には、第１及び第２案内通路が、肘フレームの周面に沿って延び且つ外周面に開放して形成されている。したがって、従来の案内通路が連続した中空パイプの内部のような閉塞したものに比べて開放された第１及び第２案内通路５３、５４へのワイヤケーブル７０の配線作業が一層容易となる。
【００６９】
また、肘フレームの上辺部の下面側に、操作レバー５０の指掛け部５１が露出して配置され、操作レバーにおけるワイヤケーブルの一端との連結部が第１案内通路に連通しているから、ワイヤケーブルの一端を操作レバーに連結する作業も容易にできる。
【００７０】
請求項３の発明によれば、操作レバーから前記作動機構に操作力を伝達するワイヤケーブルは、両案内通路に嵌まり、且つ背もたれの左右両側辺部には、肘フレームの後辺部との着脱可能な連結部を有しているので、背もたれの左右両側辺部に対する肘の取付け時（連結時）に、背もたれの左右両側辺部と肘フレームの後辺部との間にワイヤケーブルの中途部を配置できて、外部から見えなくすることが容易となる。
【００７１】
本願の請求項４の発明では、連結部は、背もたれを構成する腰アウター部材の前面上部と背板の背面下部との重なり部に介挿される帯状の補強部材における端部であるから、との連結部分の厚さを薄くできるものでありながら、連結部の強度を大きくすることができると共に肘との連結も同時に行える。
【００７２】
本願発明は上記の実施形態の他にも様々に具体化できる。例えば、適用対象は移動自在な回転椅子には限らず、劇場用椅子のような固定式の椅子にも適用できる。ベース等の構成部材は必要に応じて各種の形態を採用できる。さらに、肘１４はループ型でなく、上下逆Ｌ字型に形成したタイプの椅子にも適用できる。
【産業上の利用可能性】
【００７３】
本願発明は椅子に具体化することができる。従って、産業上利用できる。
【符号の説明】
【００７４】
１  座
２  背もたれ
１１  腰部アウター部材
１２  背板
１３  表装体
１４  肘
１５  背支持フレーム
２１  補強部材
４０  ループ状肘フレーム
４１  上カバー体
５０  操作レバー
５３  第１案内通路
５４  第２案内通路
６１  装着穴
７０  ワイヤケーブル
【図１】
2014097151.tif 000003
【図２】
2014097151.tif 000004
【図３】
2014097151.tif 000005
【図４】
2014097151.tif 000006
【図５】
2014097151.tif 000007
【図６】
2014097151.tif 000008
【図７】
2014097151.tif 000009
【図８】
2014097151.tif 000010
【図９】
2014097151.tif 000011
【図１０】
2014097151.tif 000012
【図１１】
2014097151.tif 000013
【図１２】
2014097151.tif 000014